(57)【特許請求の範囲】
【請求項１】
搬送される読取対象を読み取るイメージセンサに使用する照明装置であって、光源が端面に対向して配置され、主走査方向に延在し、筐体に収納された柱状の導光体の前記端面を含む端部が挿入されたホルダを具備し、前記ホルダは、前記導光体が挿入される挿入孔部と、この挿入孔部における前記導光体を挿入する開口が開けられた面と対向する面側に形成され、前記筐体の開口の前記搬送される読取対象に対向する側の縁部分に形成された、前記筐体の開口の径が狭まる方向であって副走査方向に沿って主走査方向に階段状に形成された段差部に載置されたホルダ被支持部とを備えた照明装置。
【請求項２】
搬送される読取対象を読み取るイメージセンサに使用する照明装置であって、光源が端面に対向して配置され、主走査方向に延在した柱状の導光体の前記端面を含む端部が挿入されたホルダを具備し、前記ホルダは、前記導光体が挿入される挿入孔部と、この挿入孔部における前記導光体を挿入する開口が開けられた面と連続した面であって、前記搬送される読取対象と対向する面に形成された平板状の透過板を載置する、副走査方向に沿って主走査方向に階段状に形成された載置部とを備えた照明装置。
【請求項３】
搬送される読取対象を読み取るイメージセンサに使用する照明装置であって、光源が端面に対向して配置され、主走査方向に延在し、筐体に収納された柱状の導光体の前記端面を含む端部が挿入されたホルダを具備し、前記ホルダは、前記導光体が挿入される挿入孔部と、この挿入孔部における前記導光体を挿入する開口が開けられた面と連続した面であって、前記搬送される読取対象と対向する面に形成された平板状の透過板を載置する、副走査方向に沿って主走査方向に階段状に形成された載置部と、前記挿入孔部における前記導光体を挿入する開口が開けられた面と対向する面側に形成され、前記筐体の開口の前記搬送される読取対象に対向する側の縁部分に形成された、前記筐体の開口の径が狭まる方向であって副走査方向に沿って主走査方向に階段状に形成された段差部に載置されたホルダ被支持部とを備えた照明装置。
【請求項４】
前記ホルダ被支持部は、前記載置部と連続した面に形成されるものである請求項３に記載の照明装置。
【請求項５】
前記載置部は、前記透過板が載置された位置と異なる位置に突起部を有するものである請求項２〜４のいずれかに記載の照明装置。
【請求項６】
前記載置部は、前記透明板の載置される部分の形状に合わせた窪み部分を有するものである請求項２〜５のいずれかに記載の照明装置。
【請求項７】
前記載置部は、前記透過板を前記透過板との間に介在物を介させて載置するものである請求項２〜６のいずれかに記載の照明装置。
【請求項８】
請求項１〜７のいずれかに記載の照明装置に用いたイメージセンサであって、前記導光体からの出射された光が前記読取対象に反射した反射光を収束するレンズ体と、このレンズ体を通過した光を受光するセンサとを備えたイメージセンサ。
【請求項９】
請求項３又は４に記載の照明装置に用いたイメージセンサであって、前記導光体からの出射された光が前記読取対象に反射した反射光、又は、前記読取対象を透過した透過光を収束するレンズ体と、このレンズ体を通過した光を受光するセンサと、このセンサが形成されたセンサ基板とを備え、前記筐体は、前記レンズ体を支持し、前記センサ基板を前記レンズ体に対して前記透明板と反対側に支持されるものであるイメージセンサ。
【請求項１０】
前記筐体は、前記レンズ体以外からの光から前記センサを遮光する遮光部を備えたものである請求項９に記載のイメージセンサ。
【請求項１１】
前記筐体は、前記導光体に対して前記透明板と反対側に配置され、前記光源からの光を反射させる反射板を支持する溝を有し、前記レンズ体以外からの光から前記センサを遮光する遮光部を備えたものである請求項９に記載のイメージセンサ。
【請求項１２】
前記導光体と前記反射板とは、所定の距離を離れて対向するものである請求項１１に記載のイメージセンサ。
【請求項１３】
搬送される読取対象を読み取るイメージセンサの製造方法であって、センサが形成されたセンサ基板を筐体に固定する基板固定工程と、前記筐体に固定される前記センサに光を収束させるロッドレンズアレイを前記筐体に前記センサ基板が固定される位置よりも内側に固定するロッドレンズアレイ固定工程と、柱状の導光体の端面を含む端部を、前記導光体が挿入される挿入孔部、この挿入孔部における前記導光体を挿入する開口が開けられた面と対向する面側から迫り出したホルダ被支持部を具備するホルダに挿入し、前記導光体の前記端面に光源を対向して配置する照明装置組立工程と、前記筐体に固定される前記ロッドレンズアレイの位置に対して、前記筐体に固定される前記センサの位置と反対側の前記筐体の開口の前記搬送される読取対象に対向する側の縁部分に形成された、前記筐体の開口の径が狭まる方向であって副走査方向に沿って主走査方向に階段状に形成された段差部に前記ホルダ被支持部を載置し、前記導光体を主走査方向に延在して配置させる照明装置載置工程とを備えたイメージセンサの製造方法。
【請求項１４】
搬送される読取対象を読み取るイメージセンサの製造方法であって、センサが形成されたセンサ基板を筐体に固定する基板固定工程と、前記筐体に、主走査方向に延在する反射板を載置する反射板載置工程と、前記筐体に固定される前記センサに光を収束させるロッドレンズアレイを、前記筐体に前記センサ基板が固定される位置よりも内側であって、前記反射板が載置される前記筐体の遮光部に主走査方向に延在した開口に固定するロッドレンズアレイ固定工程と、柱状の導光体の端面を含む端部を、前記導光体が挿入される挿入孔部、この挿入孔部における前記導光体を挿入する開口が開けられた面と対向する面側から迫り出したホルダ被支持部を具備するホルダに挿入し、前記導光体の前記端面に光源を対向して配置する照明装置組立工程と、前記筐体に固定される前記ロッドレンズアレイの位置に対して、前記筐体に固定される前記センサの位置と反対側の前記筐体の開口の前記搬送される読取対象に対向する側の縁部分に形成された、前記筐体の開口の径が狭まる方向であって副走査方向に沿って主走査方向に階段状に形成された段差部に前記ホルダ被支持部を載置し、前記導光体を前記反射板に対向して配置させる照明装置載置工程とを備えたイメージセンサの製造方法。
【請求項１５】
前記照明装置載置工程は、前記導光体と前記反射板とを所定の距離を離して対向させるものである請求項１４に記載のイメージセンサの製造方法。
【請求項１６】
請求項１３〜１５のいずれかに記載のイメージセンサの製造方法は、前記ホルダの前記挿入孔部における前記導光体を挿入する開口が開けられた面と連続した面であって、前記搬送される読取対象と対向し得る面に副走査方向に沿って主走査方向に階段状に形成された載置部に、平板状の透過板を載置する透明板載置工程を備えたイメージセンサの製造方法。
【発明の詳細な説明】
【技術分野】
【０００１】
この発明は、コピー機や複合機などの画像読取装置に用いられるライン光源である照明装置及びそれを用いたイメージセンサ並びにイメージセンサの製造方法に関するものである。
【背景技術】
【０００２】
画像読取装置に用いられるライン光源である照明装置を用いたイメージセンサは、高解像度化に伴い、主走査方向（長手方向）の均一な光を照射することや読み取り深さ（焦点深度）の確保が求められている。従来、照明装置には次のようなものがあった。例えば、特許文献１の図１には、主走査方向に長い円柱状の導光体８の端面から発光素子７１により光を入射することで、主走査方向に均一な光を照射している照明装置が記載されている。詳しくは、導光体８と発光素子７１の実装されている発光素子基板７はホルダ８１に取り付けられてそれぞれの相対的な位置を決めている。このホルダ８１は副走査方向(短手方向)両端面にある勘合ピン８６とフレーム２の壁部２６に形成された位置決め穴２６により、フレーム２に固定される。なお、特許文献１には、イメージセンサの例として密着イメージセンサ（ＣＩＳ）が挙げられている。
【０００３】
また、画像読取装置に用いられるライン光源である照明装置を用いたイメージセンサは、光源の高出力化に伴い、効率の良い光源の放熱構造が求められている。従来、照明装置には次のようなものがあった。例えば、特許文献２の図４には、金属板１１に光源であるＬＥＤチップ１０を搭載し、ＬＥＤチップ１０の反対面側の平坦部に屈曲させた放熱板１３を取り付けることで、光源の放熱を行っている照明装置を用いた密着イメージセンサが記載されている。
【先行技術文献】
【特許文献】
【０００４】
【特許文献１】特開２０１０−２８３４３６号公報（第１図）
【特許文献２】特開２００８−２２７８１５号公報（第４図）
【発明の概要】
【発明が解決しようとする課題】
【０００５】
しかし、特許文献１に記載の照明装置は、ホルダ８１の勘合ピン８６とフレーム２の壁部２６に形成された位置決め穴２６により、フレーム２に固定されているものの、原稿がフレーム２の上に取り付けられたカバーガラス９３上を搬送される構成となっているので、導光体８から原稿までの高さの位置ばらつきが、導光体８・ホルダ８１・フレーム２・カバーガラス９３の部品寸法ばらつきの積み上げになり、結果、原稿に対する光源から照射する光量が不安定になる可能性があるという課題がある。また、特許文献２に記載の照明装置を用いた密着イメージセンサは、照明装置に効率のよい放熱構造を得るために、放熱板１３と放熱板を固定するために板ばねを有する構造となっているので、その構造が複雑になるという課題がある。
【０００６】
この発明は、上記のような課題を解消するためになされたもので、照明装置を構成する部品寸法ばらつきの積み上げを少なくすることにより、光源（導光体）から原稿（読取対象）までの距離の精度を向上させた照明装置及びそれを用いたイメージセンサ並びにイメージセンサの製造方法を提供することを目的とする。
【課題を解決するための手段】
【０００７】
請求項１の発明に係る照明装置は、搬送される読取対象を読み取るイメージセンサに使用する照明装置であって、光源が端面に対向して配置され、主走査方向に延在し、筐体に収納された柱状の導光体の前記端面を含む端部が挿入されたホルダを具備し、前記ホルダは、前記導光体が挿入される挿入孔部と、この挿入孔部における前記導光体を挿入する開口が開けられた面と対向する面側に形成され、前記筐体の開口の前記搬送される読取対象に対向する側の縁部分に形成された、前記筐体の開口の径が狭まる方向であって副走査方向に沿って主走査方向に階段状に形成された段差部に載置されたホルダ被支持部とを備えたことを特徴とするものである。
【０００８】
請求項２の発明に係る照明装置は、搬送される読取対象を読み取るイメージセンサに使用する照明装置であって、光源が端面に対向して配置され、主走査方向に延在した柱状の導光体の前記端面を含む端部が挿入されたホルダを具備し、前記ホルダは、前記導光体が挿入される挿入孔部と、この挿入孔部における前記導光体を挿入する開口が開けられた面と連続した面であって、前記搬送される読取対象と対向する面に形成された平板状の透過板を載置する、副走査方向に沿って主走査方向に階段状に形成された載置部とを備えたことを特徴とするものである。
【０００９】
請求項３の発明に係る照明装置は、搬送される読取対象を読み取るイメージセンサに使用する照明装置であって、光源が端面に対向して配置され、主走査方向に延在し、筐体に収納された柱状の導光体の前記端面を含む端部が挿入されたホルダを具備し、前記ホルダは、前記導光体が挿入される挿入孔部と、この挿入孔部における前記導光体を挿入する開口が開けられた面と連続した面であって、前記搬送される読取対象と対向する面に形成された平板状の透過板を載置する、副走査方向に沿って主走査方向に階段状に形成された載置部と、前記挿入孔部における前記導光体を挿入する開口が開けられた面と対向する面側に形成され、前記筐体の開口の前記搬送される読取対象に対向する側の縁部分に形成された、前記筐体の開口の径が狭まる方向であって副走査方向に沿って主走査方向に階段状に形成された段差部に載置されたホルダ被支持部とを備えたことを特徴とするものである。
【００１０】
請求項４の発明に係る照明装置は、前記ホルダ被支持部が、前記載置部と連続した面に形成されるものである請求項３に記載のものである。
【００１１】
請求項５の発明に係る照明装置は、前記載置部が、前記透過板が載置された位置と異なる位置に突起部を有するものである請求項２〜４のいずれかに記載のものである。
【００１２】
請求項６の発明に係る照明装置は、前記載置部が、前記透明板の載置される部分の形状に合わせた窪み部分を有するものである請求項２〜５のいずれかに記載のものである。
【００１３】
請求項７の発明に係る照明装置は、前記載置部が、前記透過板を前記透過板との間に介在物を介させて載置するものである請求項２〜６のいずれかに記載のものである。
【００１４】
請求項８の発明に係るイメージセンサは、請求項１〜７のいずれかに記載の照明装置に用いたイメージセンサであって、前記導光体からの出射された光が前記読取対象に反射した反射光を収束するレンズ体と、このレンズ体を通過した光を受光するセンサとを備えたことを特徴とするものである。
【００１５】
請求項９の発明に係るイメージセンサは、請求項３又は４に記載の照明装置に用いたイメージセンサであって、前記導光体からの出射された光が前記読取対象に反射した反射光、又は、前記読取対象を透過した透過光を収束するレンズ体と、このレンズ体を通過した光を受光するセンサと、このセンサが形成されたセンサ基板とを備え、前記筐体は、前記レンズ体を支持し、前記センサ基板を前記レンズ体に対して前記透明板と反対側に支持されるものであることを特徴とするものである。
【００１６】
請求項１０の発明に係るイメージセンサは、前記筐体が、前記レンズ体以外からの光から前記センサを遮光する遮光部を備えたものである請求項９に記載のものである。
【００１７】
請求項１１の発明に係るイメージセンサは、前記筐体が、前記導光体に対して前記透明板と反対側に配置され、前記光源からの光を反射させる反射板を支持する溝を有し、前記レンズ体以外からの光から前記センサを遮光する遮光部を備えたものである請求項９に記載のものである。
【００１８】
請求項１２の発明に係るイメージセンサは、前記導光体と前記反射板とが、所定の距離を離れて対向するものである請求項１１に記載のものである。
【００１９】
請求項１３の発明に係るイメージセンサの製造方法は、搬送される読取対象を読み取るイメージセンサの製造方法であって、センサが形成されたセンサ基板を筐体に固定する基板固定工程と、前記筐体に固定される前記センサに光を収束させるロッドレンズアレイを前記筐体に前記センサ基板が固定される位置よりも内側に固定するロッドレンズアレイ固定工程と、柱状の導光体の端面を含む端部を、前記導光体が挿入される挿入孔部、この挿入孔部における前記導光体を挿入する開口が開けられた面と対向する面側から迫り出したホルダ被支持部を具備するホルダに挿入し、前記導光体の前記端面に光源を対向して配置する照明装置組立工程と、前記筐体に固定される前記ロッドレンズアレイの位置に対して、前記筐体に固定される前記センサの位置と反対側の前記筐体の開口の前記搬送される読取対象に対向する側の縁部分に形成された、前記筐体の開口の径が狭まる方向であって副走査方向に沿って主走査方向に階段状に形成された段差部に前記ホルダ被支持部を載置し、前記導光体を主走査方向に延在して配置させる照明装置載置工程とを備えたことを特徴とするものである。
【００２０】
請求項１４の発明に係るイメージセンサの製造方法は、搬送される読取対象を読み取るイメージセンサの製造方法であって、センサが形成されたセンサ基板を筐体に固定する基板固定工程と、前記筐体に、主走査方向に延在する反射板を載置する反射板載置工程と、前記筐体に固定される前記センサに光を収束させるロッドレンズアレイを、前記筐体に前記センサ基板が固定される位置よりも内側であって、前記反射板が載置される前記筐体の遮光部に主走査方向に延在した開口に固定するロッドレンズアレイ固定工程と、柱状の導光体の端面を含む端部を、前記導光体が挿入される挿入孔部、この挿入孔部における前記導光体を挿入する開口が開けられた面と対向する面側から迫り出したホルダ被支持部を具備するホルダに挿入し、前記導光体の前記端面に光源を対向して配置する照明装置組立工程と、前記筐体に固定される前記ロッドレンズアレイの位置に対して、前記筐体に固定される前記センサの位置と反対側の前記筐体の開口の前記搬送される読取対象に対向する側の縁部分に形成された、前記筐体の開口の径が狭まる方向であって副走査方向に沿って主走査方向に階段状に形成された段差部に前記ホルダ被支持部を載置し、前記導光体を前記反射板に対向して配置させる照明装置載置工程とを備えたことを特徴とするものである。
【００２１】
請求項１５の発明に係るイメージセンサの製造方法は、前記照明装置載置工程が、前記導光体と前記反射板とを所定の距離を離して対向させるものである請求項１４に記載のものである。
【００２２】
請求項１６の発明に係るイメージセンサの製造方法は、前記ホルダの前記挿入孔部における前記導光体を挿入する開口が開けられた面と連続した面であって、前記搬送される読取対象と対向し得る面に副走査方向に沿って主走査方向に階段状に形成された載置部に、平板状の透過板を載置する透明板載置工程を備えた請求項１３〜１５のいずれかに記載のものである。
【発明の効果】
【００２３】
以上のように、請求項１に係る発明によれば、ホルダ及び筐体により、部品寸法ばらつきが少なくでき、導光体と読取対象との距離の精度が高い照明装置を得ることができる。
【００２４】
請求項２に係る発明によれば、ホルダ及び透明板により、部品寸法ばらつきが少なくでき、導光体と読取対象との距離の精度が高い照明装置を得ることができる。
【００２５】
請求項３に係る発明によれば、ホルダ、透明板及び筐体により、部品寸法ばらつきが少なくでき、導光体と読取対象との距離の精度が高い照明装置を得ることができる。
【００２６】
請求項４に係る発明によれば、請求項３に係る発明の効果に加え、筐体とホルダとで透明板を保持し易い照明装置を得ることができる。
【００２７】
請求項５に係る発明によれば、請求項２〜４に係る発明の効果に加え、照明装置を組み込む画像読取装置などに組み込む際に必要な位置決めピン又は固定ピンとしての突起部を、ホルダに形成することにより、筐体に位置決めピンを設ける必要がない照明装置を得ることができる。
【００２８】
請求項６に係る発明によれば、請求項２〜５に係る発明の効果に加え、ホルダと透明板とに段差が生じ難い照明装置を得ることができる。
【００２９】
請求項７に係る発明によれば、請求項２〜６に係る発明の効果に加え、直接、ホルダ上に透明板を載置する必要がない照明装置を得ることができる。
【００３０】
請求項８に係る発明によれば、請求項１〜７に係る発明の効果を有する照明装置を用いたイメージセンサを得ることができる。
【００３１】
請求項９に係る発明によれば、請求項３、４に係る発明の効果を有する照明装置を用いた反射光源型又は透過光源型のイメージセンサを得ることができる。
【００３２】
請求項１０に係る発明によれば、請求項９に係る発明の効果に加え、レンズ体により収束された光以外を確実に遮光したイメージセンサを得ることができる。
【００３３】
請求項１１に係る発明によれば、請求項９に係る発明の効果に加え、反射板により効率よく読取対象に光を照射し、レンズ体により収束された光以外を確実に遮光したイメージセンサを得ることができる。
【００３４】
請求項１２に係る発明によれば、請求項１１に係る発明の効果に加え、熱による導光体の膨張や収縮に耐え得るイメージセンサを得ることができる。
【００３５】
請求項１３に係る発明によれば、ホルダ、透明板及び筐体により、部品寸法ばらつきが少なくでき、導光体と読取対象との距離の精度が高い、ロッドレンズアレイを用いたイメージセンサの製造方法を得ることができる。
【００３６】
請求項１４に係る発明によれば、ホルダ、透明板及び筐体により、部品寸法ばらつきが少なくでき、導光体と読取対象との距離の精度が高く、反射板により効率よく読取対象に光を照射し、ロッドレンズアレイにより収束された光以外を確実に遮光したイメージセンサの製造方法を得ることができる。
【００３７】
請求項１５に係る発明によれば、請求項１４に係る発明の効果に加え、熱による導光体の膨張や収縮に耐え得るイメージセンサの製造方法を得ることができる。
【００３８】
請求項１６に係る発明によれば、請求項１３〜１５に係る発明の効果に加え、ホルダと透明板とに段差が生じ難いイメージセンサの製造方法を得ることができる。
【図面の簡単な説明】
【００３９】
【図１】この発明の実施の形態１に係るイメージセンサの分解図である。
【図２】この発明の実施の形態１に係るイメージセンサの外観図である。
【図３】この発明の実施の形態１に係るイメージセンサ（照明装置）の導光体とホルダの分解図である。
【図４】この発明の実施の形態１に係るイメージセンサ（照明装置）のホルダの構成図である。
【図５】この発明の実施の形態１に係るイメージセンサの断面図（主走査方向）である。
【図６】この発明の実施の形態１に係るイメージセンサの断面図（副走査方向）である。
【図７】この発明の実施の形態１に係るイメージセンサの断面図（副走査方向）である。
【図８】この発明の実施の形態１に係る照明装置の構成図と照明装置を組み込む筐体の構成図である。
【図９】この発明の実施の形態１に係るイメージセンサの外観図（透明板載置前）である。
【図１０】この発明の実施の形態２に係るイメージセンサの断面図（副走査方向）である。
【図１１】この発明の実施の形態２に係るイメージセンサの断面図（副走査方向）である。
【図１２】この発明の実施の形態２に係る照明装置の構成図である。
【図１３】この発明の実施の形態３に係るイメージセンサ（照明装置）の上面図である。
【発明を実施するための形態】
【００４０】
実施の形態１〜３（本願）に係る照明装置は、搬送される読取対象を読み取るイメージセンサに使用するものであり、実施の形態１では、この照明装置及びそれを用いたイメージセンサ並びにイメージセンサの製造方法を説明する。なお、本願において、搬送される読取対象（読取対象の搬送）とは、読取対象自体が搬送される場合に加え、読取対象は動かずに、イメージセンサ自体が副走査方向に動く場合も含むものとする。
【００４１】
実施の形態１．
以下、この発明の実施の形態１について図１〜９を用いて説明する。図５（ａ）はイメージセンサにおける導光体（後述の導光体１）の中心を主走査方向に見た断面図、図５（ｂ）はイメージセンサにおけるロッドレンズアレイ（後述のロッドアレイ１５）の中心を主走査方向に見た断面図であり、図５（ａ）（ｂ）は、後述のホルダ７の近傍のみを図示している。図６（ａ）はイメージセンサの副走査方向の断面図（主走査方向の中央部分）、図６（ａ）はイメージセンサの副走査方向の断面図（後述のホルダ７に導光体が挿入される手前部分）である。図７（ａ）（ｂ）はイメージセンサの副走査方向の断面図（主走査方向の中央部分）である。但し、図７（ａ）は筐体に形成された第１の溝の形状が曲面状となっている。図７（ｂ）は筐体に形成された第１の溝の形状が曲面状となっており、反射板の代わりに、表面が白色又は鏡面加工となっている。図中、同一符号は、同一又は相当部分を示しそれらについての詳細な説明は省略する。
【００４２】
なお、図中で、Ｘ，Ｙ，Ｚと記されている３軸は、ＸがＸ軸を指し、イメージセンサの主走査方向（イメージセンサ及び照明装置の長手方向）を示す。ＹがＹ軸を指し、イメージセンサの副走査方向（搬送される読取対象の搬送方向、イメージセンサ及び照明装置の短手方向）を示す。ＺがＺ軸を指し、イメージセンサの焦点深度方向（イメージセンサ及び照明装置の厚み方向、イメージセンサが密着イメージセンサである場合は、ロッドレンズアレイの光軸方向でもある）を示す。さらに、本願では、イメージセンサの読取幅方向とは、イメージセンサの主走査方向のみの読取幅を指すとする。図中、同一符号は、同一又は相当部分を示しそれらについての詳細な説明は省略する。
【００４３】
図１〜９において、導光体１は、透明な樹脂で成形され、長手方向方向（「導光体の長手方向」は、イメージセンサの主走査方向に相当する）に延在し、側面形状が円筒状で端面が円形の柱状のものである。導光体２は、導光体１と長手方向に、ほぼ平行に配列され、照明装置の発光部を構成するものであって、透明な樹脂で成形され、長手方向方向に延在し、側面形状が円筒状で端面が円形の柱状のものである。導光体１及び導光体２の側面形状は円筒に限ったものではなく、導光体１及び導光体２の端面は円形に限らない。光源３は導光体１の一方の端面に光を入射するＬＥＤ光源などの光源素子である。光源４は導光体１の他方の端面に光を入射するＬＥＤ光源などの光源素子である。光源５は導光体２の一方の端面に光を入射するＬＥＤ光源などの光源素子である。光源６は導光体２の他方の端面に光を入射するＬＥＤ光源などの光源素子である。
【００４４】
光源３及び光源４から入射した光は、導光体１の内部で導光され、導光体１の壁面において反射を繰り返して進み、導光体１の長手方向に沿って形成された白色の印刷パターン又は凹凸形状の散乱領域１ａにより、散乱領域１ａと対向する部分（導光体１の表面上の部分）からライン状の光として出射される。同じく、光源５及び光源６から入射した光は、導光体２の内部で導光され、導光体２の壁面において反射を繰り返して進み、導光体２の長手方向に沿って形成された白色の印刷パターン又は凹凸形状の散乱領域２ａにより、散乱領域２ａと対向する部分（導光体１の表面上の部分）からライン状の光として出射される。図５（ａ）に記載の導光体１（散乱領域１ａ）及び導光体２（散乱領域２ａ）から読取対象に向かう矢印（点線）は、それぞれ、散乱領域１ａ，散乱領域２ａにより反射した光が読取対象に照射される主な光路を示している。これは、実施の形態２の図１０及び図１１でも同様である。
【００４５】
図１〜９において、ホルダ７は、光源３が導光体１の一方の端面に対向して配置され、長手方向に延在し、導光体１の一方の端面を含む端部が挿入され、光源５が導光体２の一方の端面に対向して配置され、長手方向に延在し、導光体２の一方の端面を含む端部が挿入されたものである。ホルダ８は、光源４が導光体１の他方の端面に対向して配置され、主走査方向に延在し、導光体１の他方の端面を含む端部が挿入され、光源６が導光体２の他方の端面に対向して配置され、主走査方向に延在し、導光体２の他方の端面を含む端部が挿入されたものである。透明板９はガラスや透明な樹脂で成形された照明装置又はイメージセンサのカバーとなるものである。反射型の密着イメージセンサの場合は、このカバーに接して、原稿や紙幣などの読取対象が搬送される。筐体１０は、枠体からなるもので、一方の開口における縁部分に、少なくとも長手方向（「筐体の長手方向」は、イメージセンサの主走査方向に相当する）に沿って透明板９を支持する段差部分が形成されている。つまり、段差部分の段差は短手方向（「筐体の短手方向」は、イメージセンサの副走査方向（読取対象の搬送方向）に相当する）に階段状で形成される。
【００４６】
なお、透明板９は、実施の形態１に係るイメージセンサが搭載されるコピー機や複合機などの画像読取装置側に用意されている場合は、必要でないこともある。また、筐体１０は、光源３，光源４，光源５，光源６の放熱効率を重視すると金属が好適である。さらに、イメージセンサの主走査方向における読取幅方向の外側、具体的には、筐体１０の長手方向の両端部であって、ホルダ７及びホルダ８のさらに外側に、筐体１０には、取り付け部１０ａ及び取り付け部１０ｂが形成されている。取り付け部１０ａ及び取り付け部１０ｂには、それぞれ、ネジやボルトなどで、筐体１０をコピー機や複合機などの画像読取装置に取り付けるための穴が開いている。
【００４７】
図１〜９において、ホルダ７は、導光体１及び導光体２がそれぞれ挿入される挿入孔部７ａ及び挿入孔部７ｂを有し、ホルダ８は、導光体１及び導光体２がそれぞれ挿入される挿入孔部８ａ及び挿入孔部８ｂを有する。挿入孔部７ａ，挿入孔部７ｂ，挿入孔部７ａ，挿入孔部７ｂの内径には、それぞれ切り欠き部７ｆ，切り欠き部７ｇ，切り欠き部８ｆ，切り欠き部８ｇが形成されている。この切り欠き部７ｆ及び切り欠き部７ｇ（切り欠き部８ｆ及び切り欠き部８ｇ）は、それぞれ導光体１の端部の円周状に形成された突起部１ｂ及び導光体２の端部の円周状に形成された突起部２ｂ（導光体１の端部の円周状に形成された突起部１ｃ及び導光体２の端部の円周状に形成された突起部２ｃ）と嵌合する可能な形状をしている。これらの構成は、導光体１及び導光体２をホルダ７（挿入孔部７ａ及び挿入孔部７ｂ）に挿入したときに、導光体１及び導光体２をホルダ７に固定する機能を有する。同じく、導光体１及び導光体２をホルダ８（挿入孔部８ａ及び挿入孔部８ｂ）に挿入したときに、導光体１及び導光体２をホルダ８に固定する機能を有する。突起部１ｂ，突起部１ｃ，突起部２ｂ，突起部２ｃは嵌合部といえる。
【００４８】
なお、挿入孔部７ａ，挿入孔部７ｂ（挿入孔部８ａ，挿入孔部８ｂ）は、導光体１，導光体２が挿入されるホルダ７（ホルダ８）の面とその面に対向する面に貫通（連通）した貫通孔（開口）となっており、導光体１，導光体２を固定するために、挿入孔部７ａ，挿入孔部７ｂ（挿入孔部８ａ，挿入孔部８ｂ）に、導光体１，導光体２を挿入する面から途中まで、挿入孔部７ａ，挿入孔部７ｂ（挿入孔部８ａ，挿入孔部８ｂ）の内壁に、切り欠き部７ｆ，切り欠き部７ｇ（切り欠き部８ｆ，切り欠き部８ｇ）が形成されている。しかし、挿入孔部７ａ，挿入孔部７ｂ（挿入孔部８ａ，挿入孔部８ｂ）は、切り欠き部７ｆ，切り欠き部７ｇ（切り欠き部８ｆ，切り欠き部８ｇ）の代わりに、途中で内径を狭めて、導光体１，導光体２を固定するようにしてもよい。
【００４９】
また、挿入孔部７ａ，挿入孔部７ｂ（挿入孔部８ａ，挿入孔部８ｂ）は、導光体１，導光体２が挿入されるホルダ７（ホルダ８）の面とその面に対向する面が光学的に貫通（連通）しておればよく、光源３，光源４（光源５，光源６）からの光を導光体１，導光体２に伝播させるものであれば、物理的に閉鎖されていてもよい。つまり、導光体１の端面と光源３（光源４）との間が全て空間である必要はない（導光体２の端面と光源５（光源６）との間が全て空間である必要はない）。なお、挿入孔部７ａ，挿入孔部７ｂが貫通孔（開口）であっても、内部に導光体１，導光体２へ光を伝播させる透過物質を挿入してもよい。導光体１（導光体２）は、両方の端面である「両端面」に、それぞれ光源３及び光源４（光源５及び光源６）を配置させているが、いずれか片方でもよい。
【００５０】
図１〜９において、ホルダ７において、挿入孔部７ａ及び挿入孔部７ｂにおける導光体１及び導光体２を挿入する開口が開けられた面と連続した面であって、搬送される読取対象と対向する面に形成された平板状の透過板９を載置する載置部７ｃを有し、ホルダ８において、挿入孔部８ａ及び挿入孔部８ｂにおける導光体１及び導光体２を挿入する開口が開けられた面と連続した面であって、搬送される読取対象と対向する面に形成された平板状の透過板９を載置する載置部８ｃを有する。詳しくは、載置部７ｃ及び載置部８ｃは、少なくとも短手方向（筐体の短手方向）に沿って、透明板９を支持する段差部分がホルダ７及びホルダ８に形成されている。この段差部分の段差は長手方向（筐体の長手方向）に階段状で形成される。ホルダ７及びホルダ８の短手方向（筐体の短手方向）に沿って形成した段差部分は、ホルダ７及びホルダ８に長手方向（筐体の長手方向）に沿った段差部分を形成し、短手方向に形成した段差部分と連続させてもよい。
【００５１】
これらのことを換言すると、載置部７ｃ（載置部８ｃ）は、透明板９の載置される部分の形状に合わせた窪み部分を有するものであるといえる。よって、透明板９の支持は、「透明板９を載置する前述の長手方向に沿って形成された筐体１０の段差部分」と「載置部７ｃ及び載置部８ｃ」とにより、透明板９の外形と一致し、透明体９が保持できる形状の階段状の段差が形成されておればよいので、載置部７ｃ（載置部８ｃ）には、窪み部分（段差部分）を設けずに、単に、透過板を載置するものとして、透明板９の外形と一致し、透明体９が保持できる形状の階段状の段差を筐体１０の一方の開口における縁部分に形成してもよい。また、載置部７ｃ（載置部８ｃ）は、透過板９との間に、透過板９の保護用の緩衝用シートや透過板９の固定用の両面テープ（介在物）などを介させて透過板９を載置させてもよい。
【００５２】
図１〜９において、ホルダ７（ホルダ８）は、挿入孔部７ａ及び挿入孔部７ｂ（挿入孔部８ａ及び挿入孔部８ｂ）における導光体１及び導光体２を挿入する開口が開けられた面と対向する面側に形成され、筐体１０の一方の開口における縁部分に載置されたホルダ被支持部７ｄ（ホルダ被支持部８ｄ）を有する。ホルダ被支持部７ｄ（ホルダ被支持部８ｄ）は、載置部７ｃ（載置部８ｃ）と連続した面に形成することで、筐体１０の一方の開口における縁部分の形状（段差部分を除く）を平坦にし易くなるので、筐体１０とホルダ７（ホルダ８）とで透明板を保持し易くなる。筐体１０は、一方の開口側に径が狭まった状態の段差部分を有している（ロ字状の絞りのような形状）。換言すると、主走査方向に沿って形成された段差部分（副走査方向に階段状で形成）と副走査方向に沿って形成された段差部分（主走査方向に階段状で形成）とが連続しているといえる。この段差部分（筐体１０の一方の開口側に径が狭まった状態の段差部分）における副走査方向に沿って形成された段差部分には、ホルダ被支持部７ｄ及びホルダ被支持部８ｄを載置することが可能となっており、主走査方向に沿って形成された段差部分には、透明板９の主走査方向の端部を載置することが可能となっている。
【００５３】
また、ホルダ被支持部７ｄ及びホルダ被支持部８ｄの形状をコ字状とすることで、筐体１０の一方の開口側に径が狭まった状態の段差部分（前述）における副走査方向に沿って形成された段差部分に加え、筐体１０の一方の開口側に径が狭まった状態の段差部分における主走査方向に沿って形成された段差部分の、それぞれ、取り付け部１０ａ及び取り付け部１０ｂ寄りの部分（位置）にも、ホルダ被支持部７ｄ及びホルダ被支持部８ｄを載置させることができる。この場合は、透明板９は、ホルダ被支持部７ｄ及びホルダ被支持部８ｄが載置された部分（位置）以外の、筐体１０の一方の開口側に径が狭まった状態の段差部分における主走査方向に沿って形成された段差部分に、載置されることになる。
【００５４】
さらに、ホルダ７（ホルダ８）は、載置部７ｃ（載置部８ｃ）に透過板９が載置された位置と異なる位置に突起部７ｅ（突起部８ｅ）を有するものである。この突起部７ｅ（突起部８ｅ）は、取り付け部１０ａ及び取り付け部１０ｂとともに、照明装置（イメージセンサ）を組み込む画像読取装置などに組み込む際に必要な位置決めピン又は固定ピンとして機能する読取対象搬送面突き当て部である。読取対象搬送面とは、読取対象が搬送される面を指し、実施の形態１に係るイメージセンサが、透明板９を有しており、かつ、読取対象が透明板９に接触して搬送される場合は、透明板９の面（透明体９の筐体１０に収納された面と反対の面）を指す。光源基板１１は、光源３及び光源５が形成されたフレキシブル基板であり、光源基板１２は、光源４及び光源６が形成されたフレキシブル基板である。放熱シート１３は、光源基板１１の光源３及び光源５が形成された面と反対の面に接触して配置され、光源基板１１から発せられる熱を放熱するシートである。
【００５５】
なお、筐体１０が金属で形成された金属筐体１０であれば、放熱シート１３の光源基板１１と接触させた面と反対の面に金属筐体１０を押し当てることで、放熱の効率がさらに上がる。放熱シート１４は、光源基板１２の光源４及び光源６が形成された面と反対の面に接触して配置され、光源基板１２から発せられる熱を放熱するシートである。筐体１０が金属で形成された金属筐体１０であれば、放熱シート１４の光源基板１２と接触させた面と反対の面に金属筐体１０を押し当てることで、放熱の効率がさらに上がる。光源基板１１及び放熱シート１３は、それぞれ、孔を有し、ホルダ７から突出ピンに連通させることで、ホルダ７へ光源基板１１及び放熱シート１３が固定される（仮止め状態を含む）。光源基板１２及び放熱シート１４は、それぞれ、孔を有し、ホルダ８から突出ピンに連通させることで、ホルダ８へ光源基板１２及び放熱シート１４が固定される（仮止め状態を含む）。光源基板１１（光源基板１２）に取り付けた放熱シート１３（放熱シート１４）を熱伝導率のよい金属筐体１０に直接取り付けることで、光源基板１１（光源基板１２）で発生したジュール熱はイメージセンサの外部で放散され、熱放散効率が高いイメージセンサの放熱構造を得ることができる。
【００５６】
図１〜９において、レンズ体１５は、導光体１及び導光体２からの出射された光が読取対象に反射した反射光を収束する光学部材（例えば、ロッドレンズアレイ、マクロレンズアレイなどのラインセンサ（センサアレイ）上に光を収束させるレンズアレイ）又は光学部材を複合したもの（例えば、縮小光学系のイメージセンサ（画像読取装置）を構成するレンズやミラー）である。これは、実施の形態１に係るイメージセンサが反射光源型のものである場合で、後述する実施の形態２に係るイメージセンサでは、透過光源型のイメージセンサであるので（厳密には、透過光源型のイメージセンサと透過光源型のイメージセンサとの併用）、レンズ体１５は、導光体１（導光体２）からの出射された光が読取対象を透過した透過光を収束するものでもある。センサ１６は、レンズ体１５を通過した光を受光するセンサＩＣ（受光素子）からなるセンサアレイである。
【００５７】
なお、レンズ体１５の焦点は、読取対象搬送面に合わせている。本願では、レンズ体１５がロッドレンズアレイ１５であるものを用いて説明を行うが、ロッドレンズアレイは、正立等倍のロッドレンズがイメージセンサの主走査方向に多数配列して枠体などで固定したものであるので、本願では、簡略化のため、主走査方向に細長い箱状の外形だけを図示する。また、ロッドレンズ１５の焦点は、読取対象搬送面に合わせている。図５（ａ）に記載の読取対象からロッドレンズ１５を経由してセンサ１６に向かう矢印（点線）は、ロッドレンズ１５の光軸であり、導光体１（散乱領域１ａ）及び導光体２（散乱領域２ａ）から照射された光が読取対象に反射した反射光を示している。これは、実施の形態２の図１０及び図１１でも同様であるが、図１１に関しては、導光体１（散乱領域１ａ）及び導光体２（散乱領域２ａ）から照射された光が読取対象に反射した反射光に加えて、導光体１（散乱領域１ａ）から照射された光が読取対象を透過した透過光も示している。
【００５８】
図１〜９において、センサ基板１７はセンサ１６が形成された回路基板であり、図示が省略するが、外部と接続可能なコネクタを有しており、レンズアレイ１５で収束された光を受光して光電変換するセンサ１６を主走査方向に読み取り長さだけ搭載しておる。また、コネクタは、センサ基板１７はセンサＩＣ（センサ１６）から光電変換された電気信号を画像信号として外部に出力するものである。また、センサ基板１７は、筐体１０の他方の開口における縁部分にネジなどの固定手段によって固定されるものである。固定手段はネジに限らず、特許文献１に記載のようなアタッチメントを用いてもよい。前述した筐体１０の一方の開口側に径が狭まった状態の段差部分と同じような段差部分を、筐体１０の他方の開口側に形成して（筐体１０の他方の開口側に径が狭まった状態の段差部分）、この段差部分にセンサ基板１７を嵌め込んで固定してもよい。固定手段は、前述のネジやアタッチメントなどでよい。
【００５９】
図１〜９において、反射板１８は、主走査方向に延在し、光源３及び光源４からの光を反射させるものであり、筐体１０は、導光体１に対して透明板９と反対側に配置され、反射板１８を支持する第１の溝を有している。同じく、反射板１９は、主走査方向に延在し、光源５及び光源６からの光を反射させるものであり、導光体２に対して透明板９と反対側に配置され、反射板１９を支持する第２の溝を有している。遮光部２０は、筐体１０の内部構造であり、ロッドレンズアレイ１５以外からの光からセンサ１６を遮光するものである。つまり、ロッドレンズアレイ１５は、筐体１０の主走査方向に延在する第１の溝及び第２の溝との間の筐体１０に固定されて、センサ１７に光を収束させるものである。また、ロッドレンズアレイ１５は、筐体１０にセンサ基板１７が固定される位置よりも内側であって、反射板１８が載置される筐体の遮光部に主走査方向に延在した細長い開口に固定される。筐体１０において、この開口以外に、筐体１０内部の照明装置が配置される側とセンサ基板１７が配置される側と光学的に連通する部分が無く、この機能を担っている部分は全て筐体１０の遮光部２０といえる。
【００６０】
図３及び図５は、ホルダ８周辺の構成を示したものであるが、ホルダ７周辺の構成も同様の構成となっている。図４及び図６（ｂ）は、ホルダ７周辺の構成を示したものであるが、ホルダ８周辺の構成も同様の構成となっている。図中、同一符号は、同一又は相当部分を示しそれらについての詳細な説明は省略する。
【００６１】
図１、図３、図４に記載されるイメージセンサの分解図のうち、照明装置は、導光体１、導光体２、光源３、光源４、光源５、光源６、ホルダ７、ホルダ８、光源基板１１（放熱シート１３）、光源基板１２（放熱シート１４）から構成されている。ホルダ７及びホルダ８は、筐体１０、導光体１及び導光体２、光源基板１１、光源基板１２、透明板９、読取対象の高さ方向（主走査方向と副走査方向に垂直な方向）の配置を決めるものである。照明装置を収納する筐体１０は、本願で説明するように、イメージセンサの筐体として共用してもよいが、照明装置用筐体とセンサ用筐体との二つの筐体に分けてもよい。また、照明装置に筐体１０を設けずに、イメージセンサの筐体に筐体無しの照明装置を固定する形式でもよいが、この場合でも、照明装置のホルダ７（ホルダ８）には、載置部７ｃ（載置部８ｃ）及びホルダ被支持部７ｄ（ホルダ被支持部８ｄ）が形成されている。
【００６２】
なお、照明装置用筐体とセンサ用筐体との二つの筐体に分けてもよいが、照明装置用筐体とセンサ用筐体とを接続することにより、筐体１０としての機能を有している必要があると説明したが、これは、あくまでも、実施の形態１に係る照明装置を反射型光源のイメージセンサに適用する場合であって、後述する実施の形態２に係る照明装置は、透過型光源のイメージセンサに適用するものもあるので、この場合は、照明装置用筐体とセンサ用筐体とは二つの別の筐体である必要がある。
【００６３】
実施の形態１に係るイメージセンサ（照明装置）においては、「照明装置のホルダ７に形成された突起部（読取対象搬送面突き当て部）７ｅ、及び、照明装置のホルダ８に形成された突起部（読取対象搬送面突き当て部）８ｅ」、又は、「突起部７ｅ，突起部８ｅの少なくとも一方」は、「イメージセンサに組み込まれた後に、そのイメージセンサを、取り付け部１０ａ及び取り付け部１０ｂを介して、コピー機や複合機などの画像読取装置に取り付けるとき」の取り付け基準となる。このように、筐体１０ではなく、ホルダ７及びホルダ８に突起部７ｅ及び突起部８ｅ（読取対象搬送面突き当て部）を設けたので、コピー機や複合機などの画像読取装置が求める読取対象搬送面突き当て部が変更された場合でも、筐体１０を変更することなく、ホルダ７及びホルダ８に形成された突起部７ｅ及び突起部８ｅを変更することで容易に対応できるという効果を奏する。
【００６４】
図２は実施の形態１に係るイメージセンサの完成状態（透明板９を有している場合）の外観を示している。実施の形態１に係るイメージセンサが透明板９を有し、透明板９に接して原稿などの読取対象が搬送される場合は、透明板９の表面が読取対象搬送面となる。図５（ａ）（ｂ）には、ホルダ８の近傍付近で上記説明の構成のうち、イメージセンサ側のものを図示している。
【００６５】
図６（ａ）（ｂ）に示すように、透明板９は、導光体１（導光体２）と読取対象の間に配置され、筐体１０内部に異物の混入を防止し、かつ、導光体１（導光体１）から照射される光（ライン光源）及び読取対象から反射された光の減衰を抑えるために透明な材料で構成されている。筐体１０の内部に配置された主走査方向（読取幅方向）に光を伝達する透明部材で構成された導光体１及び導光体２は、ライン状の光を主走査方向において読取対象に照明するように、透明板９での光の屈折を考慮して、導光体１及び散乱領域１ａ（導光体２及び散乱領域２ａ）の設計と筐体１０内での配置が決定されることはいうまでもない（光学設計）。なお、導光体１（導光体２）の下側であって、筐体１０内に配置される反射板１８（反射板１９）は、導光体１（導光体２）から読取対象方向側に放射される光と逆方向に放射される光を反射させ、読取対象面側に照射される光量を増やすためのものであるため、上記説明の光学設計に含めて考慮されるものである。反射板１８（反射板１９）は、シート状の反射材が一般的である。また、反射板１８及び反射板１９（筐体１０の第１の溝及び第２の溝）の形状は、平坦なものに限らない。また、筐体１０の第１の溝及び第２の溝の表面が、反射効率のよい白色又は鏡面加工となっていてもよい。
【００６６】
これらの例に関して、図７を用いて説明する。図７（ａ）に記載のイメージセンサは、反射板１８及び反射板１９（筐体１０の第１の溝及び第２の溝）の形状が曲面となっている。図７（ｂ）に記載のイメージセンサは、筐体１０の第１の溝及び第２の溝の形状が曲面で、筐体１０の第１の溝及び第２の溝の表面が白色又は鏡面加工となっている。図７（ａ）（ｂ）に示す構造でも、図１〜６に示す構造と同じ方向性の効果を得ることが可能である。また、筐体１０の第１の溝及び第２の溝の形状を曲面としたときに、導光体１及び導光体２の外形と合わせた設計を行い、導光体１及び導光体２の嵌め当て面としてもよいが、導光体１及び導光体２の熱による膨張・縮小を考慮する必要がある場合は、実施の形態１に係るイメージセンサにおいて、導光体１（導光体２）と反射板１８（反射板１９）とを所定の距離（膨張・縮小を考慮した距離）を離して対向させるとよい。なお、反射板１８（反射板１９）がない場合は、導光体１（導光体２）と筐体１０の第１の溝（筐体１０の第２の溝）とを所定の距離（膨張・縮小を考慮した距離）を離して対向させるとよい。導光体１及び導光体２は、ホルダ７及びホルダ８によって、支持及び位置決めされているので、反射板１８及び反射板１９（筐体１０の第１の溝，筐体１０の第２の溝）から、所定の距離（膨張・縮小を考慮した距離）を離して配置することは容易である。
【００６７】
次に、図８及び図９を用いて、実施の形態１に係る照明装置及びイメージセンサの製造法（搬送される読取対象を読み取るイメージセンサの製造方法）を説明する。この製造方法の基本構成（基本工程）は、以下のとおりである。照明装置（光源ユニット）組立工程、基板固定工程、ロッドレンズアレイ固定工程、照明装置載置工程。これらの工程のうち、照明装置（光源ユニット）組立工程は、照明装置載置工程の前に行う必要がある。また、ロッドレンズアレイ固定工程は、ロッドレンズ１５を照明装置載置工程の後に取り付けることが困難である場合は、照明装置載置工程の前に行う必要がある。基板固定工程は、センサ１６が形成されたセンサ基板１７を筐体１０の他方の開口における縁部分にネジなどで固定するものである。基板固定工程を行う順序は特に問わない。各工程の説明は、実施の形態１に係るイメージセンサの主走査方向における対象性及び副走査方向における対象性から、一部の説明は、片側の構成要素を用いて説明する。
【００６８】
照明装置（光源ユニット）組立工程は、導光体１が挿入される挿入孔部、この挿入孔部における導光体１を挿入する開口が開けられた面と対向する面側から迫り出したホルダ被支持部７ｄを具備するホルダ７に、柱状の導光体１の端面を含む端部を挿入し、導光体１の端面に光源３を対向して配置するものであり、導光体２はホルダ７の挿入孔部７ｂに挿入されると共に導光体２の突起部１ｂはホルダ７の切り欠き部７ｂで嵌め合わされる。突起部１ｂと切り欠き部７ｂと嵌め合わすことにより導光体１の光照射角度を一定角度に固定し、回転ずれによる導光体１の照射ずれを防止する。導光体１の突起部１ｂはホルダ７の切り欠き部７ｂに設けた導光体取り付け面である端部まで挿入する。この照明装置（光源ユニット）組立工程は、照明装置の製造方法ともいえる。この照明装置の製造方法は、後述する透明板載置工程や、後述する照明装置載置工程（センサ基板１７やロッドレンズ１５を設けていない筐体１０への載置、この場合、筐体１０は前述の照明装置用筐体となる）を含んでいてもよい。
【００６９】
なお、ホルダ７には、光源基板１１と放熱シート１３が装着されている。光源基板１１は、光源基板１１のホルダ取り付け面をホルダ７の基板取り付け面基準に取り付ける。光源基板１１の高さ方向と副走査方向の位置は光源基板１１の孔をホルダ７の基板位置決め部（突出ピン）に嵌め合わせることで決定する。基板位置決め部（突出ピン）は２箇所設けることで、光源基板１１の主走査方向を軸とした回転を抑制している（図４参照）。放熱シート１３は光源基板取り付け面を光源基板１１の放熱シート取り付け面基準に取り付ける。放熱シート１３の逃げ穴はホルダ６の基板位置決め部（突出ピン）との干渉を避けるために設けている（図４参照）。
【００７０】
ロッドレンズアレイ固定工程は、筐体１０に固定されるセンサ１６に光を収束させるロッドレンズアレイ１５を筐体１０にセンサ基板１７が固定される位置よりも筐体１０の内側に固定するものである。ロッドレンズアレイ１５は、筐体１０の内部に形成された遮光部２０に設けられ、主走査方向に延在した開口に固定される。ロッドレンズアレイ１５の主走査方向及び副走査方向の位置決めは、主走査方向に延在した開口によって決定してもよいが、筐体１０に調整機構を別途設けてよい。この調整機構は、遮光部２０に対して、センサ基板１７が取り付けられる側と反対側において、筐体１０に形成すると、センサ基板１７の遮光が容易となる。
【００７１】
照明装置載置工程は、筐体１０に固定されるロッドレンズアレイ１５（遮光部２０に形成された主走査方向に延在した開口）の位置に対して、筐体１０に固定されるセンサ１６の位置と反対側の筐体における縁部分（筐体１０の一方の開口における縁部分）にホルダ被支持部７ｄを載置し、筐体１０に固定されるセンサ１６の位置と反対側の筐体における縁部分（筐体１０の一方の開口における縁部分）にホルダ被支持部８ｄを載置して、導光体１及び導光体２を主走査方向に延在して配置させるものである。図８は、ロッドレンズアレイ固定工程の後に、照明装置載置工程を行う場合を示した図である。
【００７２】
図９は、実施の形態１に係るイメージセンサ（照明装置）に透明板９を設ける場合に、少なくとも、照明装置（光源ユニット）組立工程、ロッドレンズアレイ固定工程、照明装置載置工程の後に行う必要がある透明板載置工程を示すものである。透明板載置工程は、載置部７ｃ及び載置部８ｃ並びに筐体１０へ透明体９を載置するものである。つまり、透明板載置工程は、挿入孔部７ｂ（挿入孔部８ｂ）における導光体１（導光体２）を挿入する開口が開けられた面と連続した面であって、搬送される読取対象と対向し得る面に形成された載置部７ｃ（載置部８ｃ）に、平板状の透過板を載置するものである。また、この工程は、載置部７ｃ及び載置部８ｃ並びに筐体１０の複合形状よって、透明板９の載置される部分の形状に合わせた窪み部分を有するようにしたものであることから、前述のように、載置部７ｃ（載置部８ｃ）には、窪み部分（段差部分）を設けずに、単に、透過板を載置するものとして、透明板９の外形と一致し、透明体９が保持できる形状の階段状の段差を筐体１０の一方の開口における縁部分に形成してもよい。
【００７３】
以上が実施の形態１に係るイメージセンサ（照明装置）の製造方法の各工程の説明であるが、実施の形態１に係るイメージセンサの筐体１０に反射板１８（反射板１９）を設ける場合は、筐体１０に、主走査方向に延在する反射板１８（反射板１９）を載置する反射板載置工程を行ってもよい。また、ロッドレンズアレイ固定工程を、反射板１８（反射板１９）が載置される筐体１０の遮光部２０に主走査方向に延在した開口に固定するものとしてもよい。さらに、照明装置載置工程を、導光体１（導光体２）と反射板１８（反射板１９）とを所定の距離を離して対向させるものであるとしてもよい。但し、筐体１０の第１の溝（筐体１０の第２の溝）に導光体１（導光体２）を嵌合させたり、嵌め当てたりする場合は除く。
【００７４】
実施の形態２．
この発明の実施の形態２は実施の形態１と共通する部分の説明は省略する。実施の形態２について図１０〜１２を用いて説明する。図１０はイメージセンサの副走査方向の断面図（主走査方向の中央部分）、図１０（ａ）は片灯の照明装置（導光体一本）の副走査方向の断面図（主走査方向の中央部分）、図１０（ｂ）は片灯の照明装置（導光体二本）の副走査方向の断面図（主走査方向の中央部分）、図１１はイメージセンサの副走査方向の断面図（主走査方向の中央部分）、図１２は筐体１０及び透明板９を伴っていない照明装置（光源ユニット）の斜視図である。図中、同一符号は、同一又は相当部分を示しそれらについての詳細な説明は省略する。
【００７５】
実施の形態１では、導光体１と導光体２とのを有するいわゆる両灯の照明装置及びそれを用いたイメージセンサとそのイメージセンサが反射光源型のものを説明したが、まず、導光体１のみ有するいわゆる片灯の照明装置及びそれを用いたイメージセンサに関して、図１０（ａ）を用いて説明する。図１０（ａ）に記載のイメージセンサは、導光体１のみを有する構成となっており、それ以外は、実施の形態１で説明した照明装置及びそれを用いたイメージセンサと同じ構成と機能（動作）を有するものであるので、構成と機能（動作）に関する説明は、省略する。
【００７６】
図１０（ａ）に記載のイメージセンサ（照明装置）は、片灯で導光体１が一本のものであったが、図１０（ｂ）に記載の記載のイメージセンサ（照明装置）のように、導光体１を複数本（図１０（ｂ）では例として二本のものを図示している）有するものとしてもよい。この場合、導光体１の本数に合わせて、ホルダ７及びホルダ８に、挿入孔部７ａ（切り欠き部７ｆ）及び挿入孔部８ａ（切り欠き部８ｆ）形成し、光源基板１１及び光源基板１２にも、導光体１の本数に合わせて、光源３，光源４を形成する必要がある。もちろん
、ライン光源としての光学設計は、光学設計は異なったものであることはいうまでもない。また、同様に、実施の形態１に係るイメージセンサ（照明装置）である両灯のイメージセンサ（照明装置）においても、それぞれ、導光体１を複数本有し、導光体２も複数本有するものとしてもよい。
【００７７】
次に、透過光源型の照明装置及びそれを用いたイメージセンサに関して、図１１を用いて説明する。図１１は、透過光源型の照明装置及びそれを用いたイメージセンサと反射光源型の照明装置及びそれを用いたイメージセンサとを併用したものを図示している。読取対象の上部に配置されたものが、透過光源型の照明装置である。この透過光源型の照明装置は、読取対象の下部に配置された反射光源型の照明装置及びそれを用いたイメージセンサ（実施の形態１に係るもの）のセンサ部分を共用しているので、透過光源型の照明装置の光軸は、ロッドレンズアレイ１５の光軸と一致させる必要がある。もちろん、読取対象の下部に配置されるものは、反射光源型の照明装置を有していなくてもよい。その場合は、読取対象の上部に配置された筐体１０は、透過光源用筐体となり、読取対象の下部に配置された筐体１０は、センサ用筐体となる。
【００７８】
図示は省略するが、図１１のように、反射光源型と透過光源型とのイメージセンサ（照明装置）を読取対象（読取装置が搬送される搬送経路）を介して対向した配置でなく、しれぞれ、読取対象（読取装置が搬送される搬送経路）に対して同じ側に設置してもよい。但し、読取対象（読取装置が搬送される搬送経路）を介して対向した側に、透過光源型のイメージセンサ（照明装置）からの光を受光するセンサ１６（センサ基板１７）を設ける必要がある。
【００７９】
図１２に示す照明装置（光源ユニット）は、実施の形態２で説明した片灯の照明装置及び透過光源型の照明装置に使用されるものである。この照明装置をセンサ用筐体に週のすると、片灯の反射光源型のイメージセンサとなり、この照明装置を透過光源用筐体に収納すると、透過光源型の照明装置となる。なお、透過光源型の照明装置は筐体がなくてもよい。
【００８０】
実施の形態３．
この発明の実施の形態３は実施の形態１及び２と共通する部分の説明は省略する。実施の形態３について図１３を用いて説明する。図１３（ａ）は比較用の実施の形態１及び２に係るイメージセンサ（照明装置）の上面図（Ｘ軸方向から見たもので、ホルダ８周辺の構成を示したもの）、図１３（ｂ）は実施の形態３に係るイメージセンサ（照明装置）の上面図（Ｘ軸方向から見たもので、ホルダ８周辺の構成を示したもの）、図１３（ｃ）は実施の形態３に係るイメージセンサ（照明装置）の上面図（Ｘ軸方向から見たもので、ホルダ８周辺の構成を示したもの）である。図１３は、ホルダ８周辺の構成を示したものであるが、ホルダ７周辺の構成も同様の構成となっている。図中、同一符号は、同一又は相当部分を示しそれらについての詳細な説明は省略する。
【００８１】
実施の形態１及び２おいて、載置部７ｃ（載置部８ｃ）は、透明板９の載置される部分の形状に合わせた窪み部分を有するものであるといえる。よって、透明板９の支持は、「透明板９を載置する前述の長手方向に沿って形成された筐体１０の段差部分」と「載置部７ｃ及び載置部８ｃ」とにより、透明板９の外形と一致し、透明体９が保持できる形状の階段状の段差が形成されておればよいと、図１３（ａ）に記載のような構成を用いて説明した。
【００８２】
実施の形態３では、上記説明を満たす構成の例として、まず、図１３（ｂ）に記載の構成を説明する。図１３（ｂ）の記載の筐体１０から、ホルダ８（ホルダ７）の副走査方向の長さが、透明板９の副走査方向の長さよりも長いものであってもよいことが分かる。この構成であれば、照明装置のみで透明体９を支持する場合の位置決めが優位となる効果を奏する。実施の形態３に係る照明装置（イメージセンサ）では、照明装置（光源ユニット）組立工程の後に、透明板載置工程を行う順序で、照明装置又はイメージセンサを製造することになっても、ホルダ７及びホルダ８に透明板９を載置した状態をより維持し易いという効果を奏する。なお、図１３（ｂ）では、ホルダ被支持部８ｄ（ホルダ被支持部７ｄ）の形状をコ字状のものを図示しているが、図１３（ａ）に記載のホルダ被支持部８ｄ（ホルダ被支持部７ｄ）の形状でもよい。なお、図１３（ｂ）に記載の載置部８ｃ（載置部７ｃ）は、コ字状を成している。
【００８３】
次に、図１３（ｃ）に記載の構成を説明する。図１３（ａ）（ｂ）に記載の透明体９を含め、これまでは、透明体９を主走査方向が長辺、副走査方向を短辺とした長方形状のものを用いて説明してきたが、透明体９は、図１３（ｃ）では外形の大半は、長方形であるが、副走査方向の短辺（両端部）に凸部を有するものでもよい。なお、凸部が載置部８ｃ（載置部７ｃ）に載置される透明体９の該当部分となる。図１３（ｃ）から、透明体９が完全な長方形でなくてもよいことが分かる。この構成であれば、照明装置のみで透明体９を支持する場合の位置決めが優位となる効果を奏するだけでなく、筐体１０から、ホルダ８（ホルダ７）の副走査方向の長さが、透明板９の副走査方向の長さよりも長いものでなくてもよいので、透明板９及びホルダ被支持部８ｄ（ホルダ被支持部７ｄ）を載置する筐体１０の段差部分をロ字状のものをそのまま使用できるという効果も奏する。もちろん、筐体１０の段差部分をロ字状でないものを使用してもよいことはいうまでもない。
【００８４】
このように、実施の形態３に係る照明装置（イメージセンサ）では、照明装置（光源ユニット）組立工程の後に、透明板載置工程を行う順序で、照明装置又はイメージセンサを製造することになっても、ホルダ７及びホルダ８に透明板９を載置した状態をより維持し易いという効果を奏する。なお、図１３（ｃ）に記載のホルダ被支持部８ｄ（ホルダ被支持部７ｄ）においても、図１３（ｂ）に記載のコ字状のホルダ被支持部８ｄ（ホルダ被支持部７ｄ）を採用してもよい。なお、図１３（ｃ）に記載の載置部８ｃ（載置部７ｃ）は、図１３（ｂ）と同様にコ字状を成している。
【００８５】
実施の形態３に係るイメージセンサ（光源装置）は、実施の形態１及び２に係るイメージセンサ（光源装置）に適用できる。なお、実施の形態１（実施の形態２）に係るイメージセンサ（光源装置）に関して説明した反射型光源のイメージセンサだけでなく、実施の形態２に係るイメージセンサ（光源装置）に関して説明した透過型光源のイメージセンサにも適用できることはいうまでもない。
【符号の説明】
【００８６】
１・・導光体、１ａ・・散乱領域、１ｂ・・突起部（嵌合部）、１ｃ・・突起部（嵌合部）、２・・導光体、２ａ・・散乱領域、２ｂ・・突起部（嵌合部）、２ｃ・・突起部（嵌合部）、３・・光源、４・・光源、５・・光源、６・・光源、７・・ホルダ、７ａ・・挿入孔部、７ｂ・・挿入孔部、７ｃ・・載置部、７ｄ・・ホルダ被支持部、７ｅ・・突起部（読取対象搬送面突き当て部）、７ｆ・・切り欠き部、７ｇ・・切り欠き部、８・・ホルダ、８ａ・・挿入孔部、８ｂ・・挿入孔部、８ｃ・・載置部、８ｄ・・ホルダ被支持部、８ｅ・・突起部（読取対象搬送面突き当て部）、８ｆ・・切り欠き部、８ｇ・・切り欠き部、９・・透明板、１０・・筐体（金属筐体）、１０ａ・・取り付け部、１０ｂ・・取り付け部、１１・・光源基板、１２・・光源基板、１３・・放熱シート、１４・・放熱シート、１５・・ロッドレンズアレイ（レンズ体）、１６・・センサ、１７・・センサ基板、１８・・反射板、１９・・反射板、２０・・遮光部。
【図１】
0005821351.tif 000002
【図２】
0005821351.tif 000003
【図３】
0005821351.tif 000004
【図４】
0005821351.tif 000005
【図５】
0005821351.tif 000006
【図６】
0005821351.tif 000007
【図７】
0005821351.tif 000008
【図８】
0005821351.tif 000009
【図９】
0005821351.tif 000010
【図１０】
0005821351.tif 000011
【図１１】
0005821351.tif 000012
【図１２】
0005821351.tif 000013
【図１３】
0005821351.tif 000014